(57)【要約】  本発明は、キャリア選択方法、ユーザ機器（ＵＥ）およびコンピュータ記憶媒体を開示し、前記方法は、第１プリセットの基準に従って、ターゲットデータに対してターゲットキャリア上のリソースを選択することであって、前記第１プリセットの基準は、少なくとも、優先度の高いターゲットデータに対して前記リソースを優先的に選択することを含むことと、選択された前記ターゲットキャリアの前記リソースに基づいて、ＵＥ間のデータ伝送を実行することとを含む。
2021518683.tif 000002
【特許請求の範囲】
【請求項１】
ユーザ機器（ＵＥ）に適用される、キャリア選択方法であって、
第１プリセットの基準に従って、ターゲットデータに対してターゲットキャリア上のリソースを選択することであって、前記第１プリセットの基準は、少なくとも、優先度の高いターゲットデータに対して前記リソースを優先的に選択することを含むことと、
選択された前記ターゲットキャリアの前記リソースに基づいて、ＵＥ間のデータ伝送を実行することとを含む、前記キャリア選択方法。
【請求項２】
ターゲットデータの前記優先度は、
ＰＤＣＰ複製操作を実行する２つの論理チャネルに対して、第１論理チャネルのデータを高い優先度として使用し、第２論理チャネルのデータを低い優先度として使用すること、
高いデータパケット優先度（ＰＰＰＰ：ｐｒｏｓｅ  ｐｅｒ  ｐａｃｋｅｔ  ｐｒｉｏｒｉｔｙ）に関連付けられた論理チャネルを含むターゲットアドレスに対応するデータが、高い優先度であること、
ターゲットアドレスにおいて、高いデータパケット優先度（ＰＰＰＰ）に関連付けられた論理チャネルに対応するデータが、高い優先度であることのうちの少なくとも１つを含む、
請求項１に記載のキャリア選択方法。
【請求項３】
前記キャリア選択方法は、
ＵＥによって、前記２つの論理チャネルで第１論理チャネルおよび第２論理チャネルを決定することをさらに含む、
請求項２に記載のキャリア選択方法。
【請求項４】
前記第１プリセットの基準は、
前記ターゲットキャリアのＣＢＲ測定値が閾値より低いこと、
前記ターゲットキャリアがターゲットデータのデータパケット優先度（ＰＰＰＰ）値を搬送することができること、
前記ターゲットキャリアがターゲットデータのサービスを搬送することができること、
前記ターゲットキャリア上のＣＲ値が、現在のＣＲＢ測定値および現在のターゲットデータのデータパケット優先度（ＰＰＰＰ）値に対応するＣＲ閾値より低いこと、
前記ターゲットキャリア上のリソース認可の数が、リソース認可の数の閾値より低いことのうちの少なくとも１つをさらに含む、
請求項１ないし３のいずれか一項に記載のキャリア選択方法。
【請求項５】
前記第１プリセットの基準に従ってターゲットキャリア上のリソースを選択する場合、前記キャリア選択方法は、
優先度の低いデータに対して第１キャリア上の第１リソースを選択し、その後、優先度の高いデータに対して第２キャリア上の第２リソースを選択することをさらに含み、
前記キャリア選択方法は、第２リソースと第１リソースが競合する場合、第２リソースを優先的に伝送し、第１リソースを放棄することをさらに含む、
請求項１ないし４のいずれか一項に記載のキャリア選択方法。
【請求項６】
前記第１プリセットの基準に従ってターゲットキャリア上のリソースを選択する場合、前記キャリア選択方法は、
優先度の高いデータに対して第１キャリア上の第１リソースを選択し、その後、優先度の低いデータに対して、前記第１キャリア上の前記第１リソースと競合しない第２キャリア上の第２リソースを選択することをさらに含む、
請求項１ないし４のいずれか一項に記載のキャリア選択方法。
【請求項７】
前記キャリア選択方法は、
前記第１リソースと第２リソースが競合するかどうかを判断することをさらに含み、
前記第１リソースと第２リソースが競合するかどうかを判断することは、
第１キャリア上の第１リソースと第２キャリアの第２リソースが時間的に同じ位置にあり、且つ第１キャリアと第２キャリアが異なる場合、端末機器は、マルチキャリア送信機能を備え、且つ前記マルチキャリア送信機能は、前記第１キャリアおよび第２キャリアの周波数帯域の組み合わせをサポートすることができると、第１リソースと第２リソースが競合しないと決定し、そうでないと、競合すると決定すること、
第１キャリア上の第１リソースと第２キャリアの第２リソースが時間的に異なる位置にあり、且つ第１キャリアと第２キャリアが異なる場合、第１キャリア上の第１リソースと第２キャリアの第２リソースの時間間隔がプリセットの時間閾値より大きいと、第１リソースと第２リソースが競合しないと決定し、そうでないと、競合すると決定すること、
第１キャリア上の第１リソースと第２キャリアの第２リソースが同じキャリア上に配置された場合、前記第１キャリア上の第１リソースと第２キャリアの第２リソースの時間周波数リソースがプリセットのピーク対平均比要件を満たすと、第１リソースと第２リソースが競合しないと決定し、そうでないと、競合すると決定することのうちの少なくとも１つを含む、
請求項５または６に記載のキャリア選択方法。
【請求項８】
前記第１プリセットの基準に従って、ターゲットデータに対してターゲットキャリア上のリソースを選択する場合、前記キャリア選択方法は、
第１プリセットの基準を満たすターゲットキャリアのリソースがない場合、前記ターゲットデータをスキップすることをさらに含む、
請求項１ないし６のいずれか一項に記載のキャリア選択方法。
【請求項９】
前記ターゲットデータをスキップすることは、
前記ターゲットデータが属する論理チャネル、および／または、前記ターゲットデータが属するターゲットアドレスをスキップすることを含む、
請求項８に記載のキャリア選択方法。
【請求項１０】
前記第１プリセットの基準に従って、ターゲットデータに対してターゲットキャリア上のリソースを選択する前に、前記キャリア選択方法は、
既存のリソース認可を無効なリソース認可として初期化することをさらに含む、
請求項１ないし９のいずれか一項に記載のキャリア選択方法。
【請求項１１】
前記キャリア選択方法は、
無効なリソース認可があるかどうかを判断することと、
無効なリソース認可が存在する場合、前記無効なリソース認可がキャリア再選択および／またはリソース再選択の条件を満たすかどうかを判断することと、
無効なリソース認可が存在しない場合、各キャリアのＣＢＲ測定値に基づいてキャリア選択を実行することとをさらに含む、
請求項１０に記載のキャリア選択方法。
【請求項１２】
前記無効なリソース認可がキャリア再選択および／またはリソース再選択の条件を満たすかどうかを判断することは、
満たす場合、各キャリアのＣＢＲ測定値に基づいてキャリア選択を実行し、そうでない場合、直接に、前記リソース認可を使用して、ＭＡＣ  ＰＤＵを生成し、認可された前記リソースをバッファから取り除くことをさらに含む、
請求項１１に記載のキャリア選択方法。
【請求項１３】
前記各キャリアのＣＢＲ測定値に基づいてキャリア選択を実行することは、
ＣＢＲがプリセットのＣＢＲ閾値より低いキャリアを選択し、且つ異なるＰＰＰＰに対応するＣＢＲ閾値は異なること、
ＣＢＲが最も低いキャリアを選択すること、
無効なリソース認可が存在する場合、前記ターゲットキャリアのＣＢＲ測定値は、現在のキャリア測定値のプリセットされたオフセットより低く、そうでない場合、現在の無効なリソース認可が配置されたキャリアを変更しないことを維持することのうちの少なくとも１つを含む、
請求項１１に記載のキャリア選択方法。
【請求項１４】
前記各キャリアのＣＢＲ測定値に基づいてキャリア選択を実行した後、前記キャリア選択方法は、
第１プリセットの基準に従って、選択されたキャリア上でターゲットキャリアを選択し、選択された前記ターゲットキャリアに対してリソース認可を生成することをさらに含む、
請求項１１に記載のキャリア選択方法。
【請求項１５】
前記キャリア選択方法は、
前記ターゲットキャリアに対してリソース認可を生成することができる場合、前記リソース認可を使用して、ＭＡＣ  ＰＤＵを生成することを決定し、そうでない場合、前記ターゲットキャリアをキャリアセットから取り除くことをさらに含む、
請求項１４に記載のキャリア選択方法。
【請求項１６】
前記キャリア選択方法は、
現在のキャリア上の有効なリソース認可がＣＲ閾値より低くない場合、ターゲットキャリアをキャリアセットから取り除くことを決定すること、
または、
現在のキャリア上の有効なリソース認可が、サポートするリソース認可の数に達する場合、前記ターゲットキャリアをキャリアセットから取り除くことをさらに含む、
請求項１４に記載のキャリア選択方法。
【請求項１７】
ＵＥであって、
第１プリセットの基準に従って、ターゲットデータに対してターゲットキャリア上のリソースを選択するように構成される処理ユニットであって、前記第１プリセットの基準は、少なくとも、優先度の高いターゲットデータに対して前記リソースを優先的に選択することを含む処理ユニットと、
選択された前記ターゲットキャリアの前記リソースに基づいて、ＵＥ間のデータ伝送を実行するように構成される通信ユニットとを備える、前記ＵＥ。
【請求項１８】
ターゲットデータの前記優先度は、
ＰＤＣＰ複製操作を実行する２つの論理チャネルに対して、第１論理チャネルのデータを高い優先度として使用し、第２論理チャネルのデータを低い優先度として使用すること、
高いデータパケット優先度（ＰＰＰＰ）に関連付けられた論理チャネルを含むターゲットアドレスに対応するデータが、高い優先度であること、
ターゲットアドレスにおいて、高いデータパケット優先度（ＰＰＰＰ）に関連付けられた論理チャネルに対応するデータが、高い優先度であることのうちの少なくとも１つを含む、
請求項１７に記載のＵＥ。
【請求項１９】
前記処理ユニットは、ＵＥによって、前記２つの論理チャネルで、第１論理チャネルおよび第２論理チャネルを決定するように構成される、
請求項１８に記載のＵＥ。
【請求項２０】
前記第１プリセットの基準は、
前記ターゲットキャリアのＣＢＲ測定値が閾値より低いこと、
前記ターゲットキャリアがターゲットデータのデータパケット優先度（ＰＰＰＰ）値を搬送することができること、
前記ターゲットキャリアがターゲットデータのサービスを搬送することができること、
前記ターゲットキャリア上のＣＲ値が、現在のＣＲＢ測定値および現在のターゲットデータのデータパケット優先度（ＰＰＰＰ）値に対応するＣＲ閾値より低いこと、
前記ターゲットキャリア上のリソース認可の数が、リソース認可の数の閾値より低いことのうちの少なくとも１つをさらに含む、
請求項１７ないし１９のいずれか一項に記載のＵＥ。
【請求項２１】
前記処理ユニットは、優先度の低いデータに対して第１キャリア上の第１リソースを選択し、その後、優先度の高いデータに対して第２キャリア上の第２リソースを選択し、第２リソースと第１リソースが競合する場合、第２リソースを優先的に伝送し、第１リソースを放棄するように構成される、
請求項１７ないし２０のいずれか一項に記載のＵＥ。
【請求項２２】
前記処理ユニットは、優先度の高いデータに対して第１キャリア上の第１リソースを選択し、その後、優先度の低いデータに対して、前記第１キャリア上の前記第１リソースと競合しない第２キャリア上の第２リソースを選択するように構成される、
請求項１７ないし２０のいずれか一項に記載のＵＥ。
【請求項２３】
前記処理ユニットは、前記第１リソースと第２リソースが競合するかどうかを判断するように構成され、
前記第１リソースと第２リソースが競合するかどうかのことは、
第１キャリア上の第１リソースと第２キャリアの第２リソースが時間的に同じ位置にあり、且つ第１キャリアと第２キャリアが異なる場合、端末機器は、マルチキャリア送信機能を備え、且つ前記マルチキャリア送信機能は、前記第１キャリアおよび第２キャリアの周波数帯域の組み合わせをサポートすることができると、第１リソースと第２リソースが競合しないと決定し、そうでないと、競合すると決定すること、
第１キャリア上の第１リソースと第２キャリアの第２リソースが時間的に異なる位置にあり、且つ第１キャリアと第２キャリアが異なる場合、第１キャリア上の第１リソースと第２キャリアの第２リソースの時間間隔がプリセットの時間閾値より大きいと、第１リソースと第２リソースが競合しないと決定し、そうでないと、競合すると決定すること、
第１キャリア上の第１リソースと第２キャリアの第２リソースが同じキャリア上に配置された場合、前記第１キャリア上の第１リソースと第２キャリアの第２リソースの時間周波数リソースがプリセットのピーク対平均比要件を満たすと、第１リソースと第２リソースが競合しないと決定し、そうでないと、競合すると決定することのうちの少なくとも１つを含む、
請求項２１または２２に記載のＵＥ。
【請求項２４】
前記処理ユニットは、第１プリセットの基準を満たすターゲットキャリアのリソースがない場合、前記ターゲットデータをスキップするように構成される、
請求項１７ないし２２のいずれか一項に記載のＵＥ。
【請求項２５】
前記処理ユニットは、前記ターゲットデータが属する論理チャネル、および／または、前記ターゲットデータが属するターゲットアドレスをスキップするように構成される、
請求項２４に記載のＵＥ。
【請求項２６】
前記処理ユニットは、既存のリソース認可を無効なリソース認可として初期化するように構成される、
請求項１７ないし２５のいずれか一項に記載のＵＥ。
【請求項２７】
前記処理ユニットは、無効なリソース認可があるかどうかを判断し、無効なリソース認可が存在する場合、前記無効なリソース認可がキャリア再選択および／またはリソース再選択の条件を満たすかどうかを判断し、無効なリソース認可が存在しない場合、各キャリアのＣＢＲ測定値に基づいてキャリア選択を実行するように構成される、
請求項２６に記載のＵＥ。
【請求項２８】
前記処理ユニットは、前記無効なリソース認可がキャリア再選択および／またはリソース再選択の条件を満たすかどうかを判断し、満たす場合、各キャリアのＣＢＲ測定値に基づいてキャリア選択を実行し、そうでない場合、直接に、前記リソース認可を使用して、ＭＡＣ  ＰＤＵを生成し、認可された前記リソースをバッファから取り除くように構成される、
請求項２７に記載のＵＥ。
【請求項２９】
前記各キャリアのＣＢＲ測定値に基づいてキャリア選択を実行することは、
ＣＢＲがプリセットのＣＢＲ閾値より低いキャリアを選択し、且つ異なるＰＰＰＰに対応するＣＢＲ閾値は異なること、
ＣＢＲが最も低いキャリアを選択すること、
無効なリソース認可が存在する場合、前記ターゲットキャリアのＣＢＲ測定値は、現在のキャリア測定値のプリセットされたオフセットより低く、そうでない場合、現在の無効なリソース認可が配置されたキャリアを変更しないことを維持することのうちの少なくとも１つを含む、
請求項２７に記載のＵＥ。
【請求項３０】
前記処理ユニットは、第１プリセットの基準に従って、選択されたキャリア上でターゲットキャリアを選択し、選択された前記ターゲットキャリアに対してリソース認可を生成するように構成される、
請求項２７に記載のＵＥ。
【請求項３１】
前記処理ユニットは、前記ターゲットキャリアに対してリソース認可を生成することができる場合、前記リソース認可を使用して、ＭＡＣ  ＰＤＵを生成することを決定し、そうでない場合、前記ターゲットキャリアをキャリアセットから取り除くように構成される、
請求項３０に記載のＵＥ。
【請求項３２】
前記処理ユニットは、現在のキャリア上の有効なリソース認可がＣＲ閾値より低くない場合、ターゲットキャリアをキャリアセットから取り除くことを決定し、
または、
現在のキャリア上の有効なリソース認可が、サポートするリソース認可の数に達する場合、前記ターゲットキャリアをキャリアセットから取り除くように構成される、
請求項３０に記載のＵＥ。
【請求項３３】
ＵＥであって、
プロセッサおよびプロセッサで実行可能なコンピュータプログラムを記憶するように構成されるメモリを備え、
前記プロセッサは、前記コンピュータプログラムを実行するときに、請求項１ないし１６のいずれか一項に記載のキャリア選択方法のステップを実行するように構成される、前記ＵＥ。
【請求項３４】
コンピュータ記憶媒体であって、
コンピュータ実行可能な命令が記憶され、前記コンピュータ実行可能な命令が実行されると、請求項１ないし１６のいずれか一項に記載のキャリア選択方法を実現する、前記コンピュータ記憶媒体。
【発明の詳細な説明】
【技術分野】
【０００１】
本発明は、情報処理の技術分野に関し、特に、キャリア選択方法、ユーザ機器（ＵＥ）およびコンピュータ記憶媒体に関する。
【背景技術】
【０００２】
車両ネットワーキングシステムは、より高いスペクトル効率およびより低い伝送遅延を有する、ＬＴＥ−Ｄ２Ｄベースのサイドリンク伝送技術（サイドリンク（ＳＬ：Ｓｉｄｅｌｉｎｋ））である。３ＧＰＰ  Ｒｅｌ−１４において車両ネットワーキング技術（Ｖ２Ｘ）が標準化され、モード３とモード４の２つの伝送モードが定義されている。ここで、モード４では、車載端末は、センシング（ｓｅｎｓｉｎｇ）＋予約（ｒｅｓｅｒｖａｔｉｏｎ）の伝送方式を使用し、車載端末は、リソースプールにおいてセンシング方式により、利用可能な伝送リソースセットを取得し、端末は、当該セットから１つのリソースをランダムに選択してデータ伝送を実行する。Ｒｅｌ−１５において、ｅＶ２ｘはマルチキャリアシナリオまで拡張され、即ち、ＵＥは１つ以上のキャリア上で同時に送受信を実行することができる。それがもたらす問題の１つは、キャリアの選択方法である。
【発明の概要】
【発明が解決しようとする課題】
【０００３】
上記の技術的課題を解決するために、本発明の実施例は、キャリア選択方法、ユーザ機器（ＵＥ）およびコンピュータ記憶媒体を提供する。
【課題を解決するための手段】
【０００４】
本発明の実施例は、ユーザ機器（ＵＥ）に適用される、キャリア選択方法を提供し、前記方法は、
第１プリセットの基準に従って、ターゲットデータに対してターゲットキャリア上のリソースを選択することであって、前記第１プリセットの基準は、少なくとも、優先度の高いターゲットデータに対して前記リソースを優先的に選択することを含むことと、
選択された前記ターゲットキャリアの前記リソースに基づいて、ＵＥ間のデータ伝送を実行することとを含む。
【０００５】
本発明の実施例はＵＥを提供し、前記ＵＥは、
第１プリセットの基準に従って、ターゲットデータに対してターゲットキャリア上のリソースを選択するように構成される処理ユニットであって、前記第１プリセットの基準は、少なくとも、優先度の高いターゲットデータに対して前記リソースを優先的に選択することを含む処理ユニットと、
選択された前記ターゲットキャリアの前記リソースに基づいて、ＵＥ間のデータ伝送を実行するように構成される通信ユニットとを備える。
【０００６】
本発明の実施例で提供されたユーザ機器（ＵＥ）は、プロセッサおよびプロセッサによって実行可能なコンピュータプログラムを記憶するように構成されるメモリを備え、
ここで、前記プロセッサは、前記コンピュータプログラムが実行されるときに、上記の方法のステップを実行するように構成される。
【０００７】
本発明の実施例は、コンピュータ記憶媒体を提供し、前記コンピュータ記憶媒体にはコンピュータ実行可能な命令が記憶され、前記コンピュータ実行可能な命令が実行されると、上記の方法のステップを実現する。
【発明の効果】
【０００８】
本発明の実施例の技術的解決策は、ターゲットデータの優先度に従って、ターゲットデータに対してリソースの選択を実行した後、選択されたキャリアのリソース上でＵＥ間のデータ伝送を実行することができ、このように、ＵＥが複数のデータ伝送を実行する時の送受信方法に関する技術的課題を解決することができる。
【図面の簡単な説明】
【０００９】
【図１】本発明の実施例で提供されたキャリア選択方法の第１の例示的なフローチャートである。
【図２】本発明の実施例で提供されたキャリア選択方法の第２の例示的なフローチャートである。
【図３】本発明の実施例のユーザ機器の構成の例示的な構造図である。
【図４】本発明の実施例のシナリオの概略図である。
【図５】本発明の実施例のハードウェアアーキテクチャの概略図である。
【発明を実施するための形態】
【００１０】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００１１】
実施例１
本発明の実施例は、ユーザ機器（ＵＥ）に適用される、キャリア選択方法を提供し、図１に示されたように、前記方法は、次のステップを含む。
【００１２】
ステップ１０１において、第１プリセットの基準に従って、ターゲットデータに対してターゲットキャリア上のリソースを選択し、ここで、前記第１プリセットの基準は、少なくとも、優先度の高いターゲットデータに対して前記リソースを優先的に選択することを含む。
【００１３】
ステップ１０２において、選択された前記ターゲットキャリアの前記リソースに基づいて、ＵＥ間のデータ伝送を実行する。
【００１４】
少なくとも１つのターゲットデータが存在する可能性があるということは、即ち、複数のターゲットデータが存在する可能性があるとういうことであり、ここでは、その数に対して再び説明しない。
【００１５】
さらに、ターゲットデータの優先度の決定方法は、
ＰＤＣＰ複製操作を実行する２つの論理チャネルに対して、第１論理チャネルのデータを高い優先度として使用し、第２論理チャネルのデータを低い優先度として使用すること、
高いデータパケット優先度（ＰＰＰＰ：ｐｒｏｓｅ  ｐｅｒ  ｐａｃｋｅｔ  ｐｒｉｏｒｉｔｙ）に関連付けられた論理チャネルを含むターゲットアドレスに対応するデータが、高い優先度であること、
ターゲットアドレスにおいて、高いデータパケット優先度（ＰＰＰＰ）に関連付けられた論理チャネルに対応するデータが、高い優先度であることのうちの少なくとも１つを含み得る。
【００１６】
具体的に、前記高い優先度は、ＰＰＰＰによって示され、即ち、ＰＰＰＰ値が低いほど、優先度は高い。
【００１７】
前記高い優先度は、複製／非複製データによって示されてもよく、即ち、ＰＤＣＰ複製動作を実行する特定のベアラ（即ち、当該ベアラは、２つの論理チャネルに分割され、当該ベアラのＰＤＣＰ  ＰＤＵの２つのコピーに対してサービスする）において、１つの論理チャネルの伝送されるデータの割り当てが完了した場合のみ、別の論理チャネルに対してデータを割り当てる。ここで、ＵＥによって、前記２つの論理チャネルで第１論理チャネルおよび第２論理チャネルを決定する。２つの論理チャネルのどちらが優先度が高くどちらが低いかは、それらに、伝送されるデータが存在するかどうかにより決定することができ、例えば、伝送されるデータが存在する論理チャネルを高い優先度として決定し、これに反して、低い優先度として決定することができる。
【００１８】
即ち、ユーザが優先度の高い論理チャネルの伝送されるデータに対して第１キャリアセットを割り当てた後に、ユーザは、優先度の低い別の論理チャネルの伝送されるデータに対して、第１キャリアセット以外のキャリアのうちのキャリアを割り当てる。
【００１９】
前記優先度の高い論理チャネルのターゲットアドレスが、優先度の高いデータに対応することは、異なるターゲットアドレスの優先度に従って決定することであり得る。さらに、各ターゲットアドレスには、異なる優先度を有する論理チャネルが存在する可能性があり、ターゲットデータの優先度は、論理チャネルの優先度に基づいて決定される。
【００２０】
前記高いデータパケット優先度（ＰＰＰＰ）に関連付けられた論理チャネルを含むターゲットアドレスに対応するデータは、高い優先度であり、データパケット優先度に関連付けられた論理チャネルは、各論理チャネルが１つのデータパケット優先度値（ＰＰＰＰ）に関連付けられることを指し、このような関連関係はＵＥ自体により決定され、異なる論理チャネルは、同じＰＰＰＰに関連付けられてもよい。高いデータパケット優先度（ＰＰＰＰ）は、ＰＰＰＰ値が低いほど、データパケット優先度が高いことを指す。
【００２１】
キャリア選択を実行する場合には、所定の条件に従ってキャリア選択を実行する。前記第１プリセットの基準は、
前記ターゲットキャリアのＣＢＲ測定値が閾値より低いこと、
前記ターゲットキャリアがターゲットデータのデータパケット優先度（ＰＰＰＰ）値を搬送することができること、
前記ターゲットキャリアがターゲットデータのサービスを搬送することができること、
前記ターゲットキャリア上のＣＲ値が、現在のＣＲＢ測定値および現在のターゲットデータのデータパケット優先度（ＰＰＰＰ）値に対応するＣＲ閾値より低いこと、
前記ターゲットキャリア上のリソース認可の数が、リソース認可の数の閾値より低いことのうちの少なくとも１つをさらに含む。
【００２２】
もちろん、他の基準が存在する可能性もあるが、本実施例では網羅的な列挙をしない。
【００２３】
さらに、前記第１プリセットの基準に従ってターゲットキャリア上のリソースを選択する場合、前記キャリア選択方法は、
優先度の低いデータに対して第１キャリア上の第１リソースを選択し、その後、優先度の高いデータに対して第２キャリア上の第２リソースを選択することをさらに含み、
対応的に、前記キャリア選択方法は、前記第１リソースと第２リソースが競合するかどうかを判断することと、
第２リソースと第１リソースが競合する場合、第２リソースを優先的に伝送し、第１リソースを放棄することとをさらに含む。
【００２４】
即ち、優先度の高いターゲットデータまたは優先度の低いターゲットデータに対してリソース割り当てを実行する順序は、実際の状況に応じて設定することができ、上述の方式は、優先度の低いデータを割り当てた後に優先度の高いデータを割り当てる方式であり、この方式は、２つのリソースが競合するかどうかをさらに判断する必要があり、競合する場合、優先度の低いリソースを放棄し、優先度の高いリソースを伝送する必要がある。
【００２５】
別の方式は、優先度の高いデータに対して第１キャリア上の第１リソースを選択し、その後、優先度の低いデータに対して、前記第１キャリア上の前記第１リソースと競合しない第２キャリア上の第２リソースを選択することである。
【００２６】
上記のリソースが競合するかどうかの判断方法に関しては、
第１キャリア上の第１リソースと第２キャリアの第２リソースが時間的に同じ位置にあり、且つ第１キャリアと第２キャリアが異なる場合、端末機器は、マルチキャリア送信機能を備え、且つ前記マルチキャリア送信機能は、前記第１キャリアおよび第２キャリアの周波数帯域の組み合わせをサポートすることができると、第１リソースと第２リソースが競合しないと決定すること、
第１キャリア上の第１リソースと第２キャリアの第２リソースが時間的に異なる位置にあり、且つ第１キャリアと第２キャリアが異なる場合、第１キャリア上の第１リソースと第２キャリアの第２リソースの時間間隔がプリセットの時間閾値より大きいと、第１リソースと第２リソースが競合しないと決定すること、
第１キャリア上の第１リソースと第２キャリアの第２リソースが同じキャリア上に配置された場合、前記第１キャリア上の第１リソースと第２キャリアの第２リソースの時間周波数リソースがプリセットのピーク対平均比要件を満たすと、第１リソースと第２リソースが競合しないと決定することのうちの少なくとも１つを含み得る。
【００２７】
例を挙げると、第１リソースがリソース認可１であり、第２リソースがリソース認可２であると仮定して、リソース認可１およびリソース認可２の時間周波数リソースが時間的に位置が同じであり、且つ異なるキャリア上に配置された場合、ユーザは複数のキャリア上で同時に送信する機能を備え、さらに、前記マルチキャリア送信機能は、キャリア１およびキャリア２の周波数帯域の組み合わせをサポートすることが要求される。
【００２８】
リソース認可１およびリソース認可２の時間周波数リソースが時間的に位置が異なり、且つ異なるキャリア上に配置された場合、ユーザは、シングルキャリア送信機を異なるキャリア上でスイッチングすることにより、リソース認可１およびリソース認可２の送信をサポートすることができるが、これには、異なるキャリアでのユーザのスイッチング遅延要件を満たすために、リソース認可１およびリソース認可２上で選択された時間周波数リソースの時間間隔が十分に長いことが要求される。
【００２９】
リソース認可１およびリソース認可２の時間周波数リソースが同じキャリアに配置された場合、ユーザ機器は、リソース認可１およびリソース認可２がピーク対平均比要件を満たすと決定する必要がある。
【００３０】
前述の第１プリセットの基準および競合の判断は、適切なリソースを最終的に選択することができなくなる場合があり、その場合、次の処理を実行する必要があることにさらに留意されたい。
【００３１】
第１プリセットの基準を満たすターゲットキャリアのリソースがない場合、前記ターゲットデータをスキップする。
【００３２】
前記ターゲットデータが属する論理チャネル、および／または、前記ターゲットデータが属するターゲットアドレスをスキップする。
【００３３】
以下、図２を参照して、本実施例の処理プロセスについてさらに説明し、ユーザ機器（ＵＥ）は、各時間単位で、次のステップを実行してリソース選択を実行する。
【００３４】
ステップ２０１において、既存のリソース認可を無効なリソース認可として初期化し、有効な認可セットを空に初期化する。
【００３５】
ステップ２０２において、ユーザは、伝送されるデータが現在存在するかどうかを検査し、存在する場合、ステップ２０３を実行し、そうでない場合、終了する。
【００３６】
ステップ２０３において、伝送されるデータにおいてターゲットデータを選択し、第１キャリアセットを前記ターゲットアドレスが属するサービスおよび前記最も高いデータパケット優先度に対応するキャリアセットとして初期化する。
【００３７】
ここで、伝送されるデータにおいてターゲットデータを選択することは、論理チャネル優先度（Ｌｏｇｉｃａｌ  ｃｈａｎｎｅｌ  ｐｒｉｏｒｉｔｉｚａｔｉｏｎ）基準に従って、伝送されるデータが含まれた論理チャネルに関連付けられた最も高いデータパケット優先度を有するターゲットアドレスを優先的に選択し、当該ターゲットアドレスのうち最も高いデータパケット優先度を有する伝送されるデータを優先的に選択する。
【００３８】
ステップ２０４において、前記第１キャリアセットにおいて、無効なリソース認可があるかどうかを判断する。例えば、現在の第１キャリアセットに無効なリソース認可が存在かどうかを判断し、存在する場合、ステップ２０５を実行し、そうでない場合、ステップ２０６を実行する。
【００３９】
ステップ２０５において、現在既存の無効なリソース認がキャリア再選択および／またはリソース再選択の条件を満たすかどうかを判断し、満たす場合、ステップ２０６を実行し、そうでない場合、直接に、当該リソース認可を使用して、ステップ２０８を実行する。
【００４０】
ステップ２０６において、第１プリセットの基準に従ってキャリア選択を実行し、および選択されたキャリア上でターゲットリソースを選択し、選択された前記ターゲットキャリア上の前記ターゲットリソースに対してリソース認可を生成し、リソース認可を生成することができる場合、ステップ２０７を実行し、リソース認可を生成しない場合、現在のデータをスキップする。
【００４１】
前記第１プリセットの基準に従ってキャリア選択を実行することは、ユーザが、ＣＢＲが特定の閾値より低いキャリアを選択し、当該閾値は、異なるＰＰＰＰごとに異なるなど、現在の第１キャリアセットにおける各キャリアのＣＢＲ測定値に基づいて、キャリア選択を実行することと、ユーザは、ＣＢＲが最も低いキャリアを選択することと、無効なリソース認可が存在する場合、前記ターゲットキャリアのＣＢＲ測定値は、現在のキャリア測定値のプリセットされたオフセットより低く、そうでない場合、現在の無効なリソース認可が配置されたキャリアを変更しないことを維持することとを含む。
【００４２】
前記第１プリセットの基準に従ってキャリア選択を実行することは、
前記ターゲットキャリアのＣＢＲ測定値が閾値より低いことと、
前記ターゲットキャリアがターゲットデータのデータパケット優先度（ＰＰＰＰ）値を搬送することができることと、
前記ターゲットキャリアがターゲットデータのサービスを搬送することができることと、
前記ターゲットキャリア上のＣＲ値が、現在のＣＲＢ測定値および現在のターゲットデータのデータパケット優先度（ＰＰＰＰ）値に対応するＣＲ閾値より低いこととをさらに含み得る。
【００４３】
前記第１プリセットの基準に従ってキャリア選択を実行することは、優先度の低いデータに対して第１キャリア上の第１リソース認可を選択し、その後、優先度の高いデータに対して第２キャリア上の第２リソース認可を選択することと、前記第１リソース認可と第２リソース認可が競合するかどうかを判断することと、第２リソース認可と第１リソース認可が競合する場合、第２リソース認可を優先的に伝送し、第１リソース認可を放棄することとをさらに含み得る。
【００４４】
または、優先度の高いデータに対して第１キャリア上の第１リソース認可を選択し、その後優先度の低いデータに対して、前記第１キャリア上の前記第１リソース認可と競合しない第２キャリア上の第２リソース認可を選択することができる。
【００４５】
具体的に、上記の２つのリソース認可が競合するかどうかを判断することは、
リソース認可１およびリソース認可２の時間周波数リソースが時間的に位置が同じであり、且つ異なるキャリア上に配置された場合、ユーザは複数のキャリア上で同時に送信する機能を備え、さらに、前記マルチキャリア送信機能は、キャリア１およびキャリア２の周波数帯域の組み合わせをサポートすることが要求されることと、
リソース認可１およびリソース認可２の時間周波数リソースが時間的に位置が異なり、且つ異なるキャリア上に配置された場合、ユーザは、シングルキャリア送信機を異なるキャリア上でスイッチングすることにより、リソース認可１およびリソース認可２の送信をサポートすることができるが、これには、異なるキャリアでのユーザのスイッチング遅延要件を満たすために、リソース認可１およびリソース認可２上で選択された時間周波数リソースの時間間隔が十分に長いことが要求されることとを含む。
【００４６】
リソース認可１およびリソース認可２の時間周波数リソースが同じキャリアに配置された場合、ユーザ機器は、リソース認可１およびリソース認可２がピーク対平均比要件を満たすと決定する必要がある。
【００４７】
前記ターゲットキャリアに対してリソース認可を生成することができる場合、前記リソース認可を使用して、ＭＡＣ  ＰＤＵを生成することを決定し、そうでない場合、前記ターゲットキャリアを第１キャリアセットから取り除く。具体的には、リソース認可を生成することができると、当該リソース認可を使用して、ステップ２０８を実行すると決定し、そうでない場合、ターゲットキャリアを第１キャリアセットから取り除く。
【００４８】
前述した現在のデータをスキップし、即ち、前記ターゲットデータをスキップすることは、現在の時間では、ターゲットデータが属する論理チャネル、および／または、前記ターゲットデータが属するターゲットアドレスに対してリソースを選択せず、ターゲットデータが属する論理チャネル以外の他の論理チャネル、および／または、前記ターゲットデータが属するターゲットアドレス以外の他のターゲットアドレスの優先度が、ターゲットデータが属する論理チャネル、および／または、前記ターゲットデータが属するターゲットアドレスより低くても、ターゲットデータが属する論理チャネル以外の他の論理チャネル、および／または、前記ターゲットデータが属するターゲットアドレス以外の他のターゲットアドレスに対して、依然として、リソースを選択して伝送することを指す。
【００４９】
ステップ２０７において、使用するリソース認可を有効なリソース認可として表記し、ＭＡＣ  ＰＤＵを生成し、関連データをキャッシュから取り除く。
【００５０】
ターゲットキャリアを第１キャリアセットから取り除くかどうかを決定することは、キャリア上に利用可能なリソースが見つからない場合、当該キャリアを取り除くことができることとして理解できる。
【００５１】
さらに、例えば、現在のキャリア上の有効なリソース認可がＣＲ閾値より低くない場合、ターゲットキャリアをキャリアセットから取り除くことを決定し、現在のキャリア上の（有効な）リソース認可はＣＲ  ｌｉｍｉｔに達し、または超え、
または、
現在のキャリア上の有効なリソース認可が、サポートするリソース認可の数に達する場合、前記ターゲットキャリアをキャリアセットから取り除き、当前キャリア上の（有効な）リソース認可は、ユーザがサポートできるリソース認可の数に達する。その後、ステップ２０２に戻ることができる。
【００５２】
上記の技術案を採用することにより、ターゲットデータの優先度に従って、ターゲットデータに対してリソースの選択を実行した後、選択されたキャリアのリソース上でＵＥ間のデータ伝送を実行することができることが分かる。このように、ＵＥが複数のデータ伝送を実行する時の送受信方法に関する問題を解決することができる。
【００５３】
実施例２
本発明の実施例はＵＥを提供し、図３に示されたように、前記ＵＥは、
第１プリセットの基準に従って、ターゲットデータに対してターゲットキャリア上のリソースを選択するように構成される処理ユニットであって、前記第１プリセットの基準は、少なくとも、優先度の高いターゲットデータに対して前記リソースを優先的に選択することを含む処理ユニット３１と、
選択された前記ターゲットキャリアの前記リソースに基づいて、ＵＥ間のデータ伝送を実行するように構成される通信ユニット３２とを備える。
【００５４】
少なくとも１つのターゲットデータが存在する可能性があり、即ち、複数のターゲットデータが存在する可能性があるが、ここでは、その数に対して再び説明しない。
【００５５】
さらに、ターゲットデータの優先度の決定方法は、
ＰＤＣＰ複製操作を実行する２つの論理チャネルに対して、第１論理チャネルのデータを高い優先度として使用し、第２論理チャネルのデータを低い優先度として使用すること、
高いデータパケット優先度（ＰＰＰＰ）に関連付けられた論理チャネルを含むターゲットアドレスに対応するデータが、高い優先度であること、
ターゲットアドレスにおいて、高いデータパケット優先度（ＰＰＰＰ）に関連付けられた論理チャネルに対応するデータが、高い優先度であることのうちの少なくとも１つを含み得る。
【００５６】
具体的に、前記高い優先度は、ＰＰＰＰ（ｐｒｏｓｅ  ｐｅｒ  ｐａｃｋｅｔ  ｐｒｉｏｒｉｔｙ）によって示され、即ち、ＰＰＰＰ値が低いほど、優先度は高い。
【００５７】
前記高い優先度は、複製／非複製データによって示されてもよく、即ち、ＰＤＣＰ複製動作を実行する特定のベアラ（即ち、当該ベアラは、２つの論理チャネルに分割され、当該ベアラのＰＤＣＰ  ＰＤＵの２つのコピーに対してサービスする）において、１つの論理チャネルの伝送されるデータの割り当てが完了した場合のみ、別の論理チャネルに対してデータを割り当てる。ここで、ＵＥによって、前記２つの論理チャネルで第１論理チャネルおよび第２論理チャネルを決定する。２つの論理チャネルのどちらが優先度が高くどちらが低いかは、それらに、伝送されるデータが存在するかどうかにより決定することができ、例えば、伝送されるデータが存在する論理チャネルを高い優先度として決定し、これに反して、低い優先度として決定することができる。
【００５８】
即ち、ユーザが優先度の高い論理チャネルの伝送されるデータに対して第１キャリアセットを割り当てた後に、ユーザは、優先度の低い別の論理チャネルの伝送されるデータに対して、第１キャリアセット以外のキャリアのうちのキャリアを割り当てる。
【００５９】
前記優先度の高い論理チャネルのターゲットアドレスが、優先度の高いデータに対応することは、異なるターゲットアドレスの優先度に従って決定することができる。さらに、各ターゲットアドレスには、異なる優先度を有する論理チャネルが存在する可能性があり、ターゲットデータの優先度は、論理チャネルの優先度に基づいて決定される。
【００６０】
前記高いデータパケット優先度（ＰＰＰＰ）に関連付けられた論理チャネルを含むターゲットアドレスに対応するデータは、高い優先度であり、データパケット優先度に関連付けられた論理チャネルは、各論理チャネルが１つのデータパケット優先度値（ＰＰＰＰ）に関連付けられることを指し、このような関連関係はＵＥ自体により決定され、異なる論理チャネルは、同じＰＰＰＰに関連付けられてもよい。高いデータパケット優先度（ＰＰＰＰ）は、ＰＰＰＰ値が低いほど、データパケット優先度が高いことを指す。
【００６１】
キャリア選択を実行する場合には、一定の条件に従ってキャリア選択を実行する。前記第１プリセットの基準は、
前記ターゲットキャリアのＣＢＲ測定値が閾値より低いこと、
前記ターゲットキャリアがターゲットデータのデータパケット優先度（ＰＰＰＰ）値を搬送することができること、
前記ターゲットキャリアがターゲットデータのサービスを搬送することができること、
前記ターゲットキャリア上のＣＲ値が、現在のＣＲＢ測定値および現在のターゲットデータのデータパケット優先度（ＰＰＰＰ）値に対応するＣＲ閾値より低いことのうちの少なくとも１つをさらに含み得る。
【００６２】
前記ターゲットキャリア上のリソース認可の数が、リソース認可の数の閾値より低いことのうちの少なくとも１つをさらに含む。
【００６３】
もちろん、他の基準が存在する可能性もあるが、本実施例では網羅的な列挙をしない。
【００６４】
さらに、前記処理ユニット３１は、優先度の低いデータに対して第１キャリア上の第１リソースを選択し、その後、優先度の高いデータに対して第２キャリア上の第２リソースを選択し、前記第１リソースと第２リソースが競合するかどうかを判断し、第２リソースと第１リソースが競合する場合、第２リソースを優先的に伝送し、第１リソースを放棄するように構成される。
【００６５】
即ち、優先度の高いまたは優先度の低いターゲットデータに対してリソース割り当てを実行する順序は、実際の状況に応じて設定することができ、上述の方式は、優先度の低いデータを割り当てた後に優先度の高いデータを割り当てる方式であり、この方式は、２つのリソースが競合するかどうかをさらに判断する必要があり、競合する場合、優先度の低いリソースを放棄し、優先度の高いリソースを伝送する必要がある。
【００６６】
別の方式では、処理ユニット３１は、優先度の高いデータに対して第１キャリア上の第１リソースを選択し、その後、優先度の低いデータに対して、前記第１キャリア上の前記第１リソースと競合しない第２キャリア上の第２リソースを選択するように構成される。
【００６７】
上記のリソースが競合するかどうかの判断方法に関しては、
第１キャリア上の第１リソースと第２キャリアの第２リソースが時間的に同じ位置にあり、且つ第１キャリアと第２キャリアが異なる場合、前記端末機器は、マルチキャリア送信機能を備え、且つ前記マルチキャリア送信機能は、前記第１キャリアおよび第２キャリアの周波数帯域の組み合わせをサポートすることができると、第１リソースと第２リソースが競合しないと決定すること、
第１キャリア上の第１リソースと第２キャリアの第２リソースが時間的に異なる位置にあり、且つ第１キャリアと第２キャリアが異なる場合、第１キャリア上の第１リソースと第２キャリアの第２リソースの時間間隔がプリセットの時間閾値より大きいと、第１リソースと第２リソースが競合しないと決定すること、
第１キャリア上の第１リソースと第２キャリアの第２リソースが同じキャリア上に配置された場合、前記第１キャリア上の第１リソースと第２キャリアの第２リソースの時間周波数リソースがプリセットのピーク対平均比要件を満たすと、第１リソースと第２リソースが競合しないと決定することのうちの少なくとも１つを含み得る。
【００６８】
例を挙げると、第１リソースがリソース認可１であり、第２リソースがリソース認可２であると仮定して、リソース認可１およびリソース認可２の時間周波数リソースが時間的に位置が同じであり、且つ異なるキャリア上に配置された場合、ユーザは複数のキャリア上で同時に送信する機能を備え、さらに、前記マルチキャリア送信機能は、キャリア１およびキャリア２の周波数帯域の組み合わせをサポートすることが要求される。
【００６９】
リソース認可１およびリソース認可２の時間周波数リソースが時間的に位置が異なり、且つ異なるキャリア上に配置された場合、ユーザは、シングルキャリア送信機を異なるキャリア上でスイッチングすることにより、リソース認可１およびリソース認可２の送信をサポートすることができるが、これには、異なるキャリアでのユーザのスイッチング遅延要件を満たすために、リソース認可１およびリソース認可２上で選択された時間周波数リソースの時間間隔が十分に長いことが要求されることとを含む。
【００７０】
リソース認可１およびリソース認可２の時間周波数リソースが同じキャリアに配置された場合、ユーザ機器は、リソース認可１およびリソース認可２がピーク対平均比要件を満たすと決定する必要がある。
【００７１】
前述の第１プリセットの基準および競合の判断は、適切なリソースを最終的に選択することができなくなる場合があり、その場合、次の処理を実行する必要があることにさらに留意されたい。
【００７２】
第１プリセットの基準を満たすターゲットキャリアのリソースがない場合、前記ターゲットデータをスキップする。
【００７３】
前記ターゲットデータが属する論理チャネル、および／または、前記ターゲットデータが属するターゲットアドレスをスキップする。
【００７４】
以下、本実施例の処理プロセスについてさらに説明し、ユーザ機器（ＵＥ）は、各時間単位で、次のステップを実行してリソース選択を実行する。
【００７５】
処理ユニット３１は、既存のリソース認可を無効なリソース認可として初期化し、有効なリソース認可セットを空に初期化するように構成される。
【００７６】
処理ユニット３１は、ユーザが現在伝送されるデータが存在するかどうかを検査し、そうでない場合、終了するように構成される。
【００７７】
処理ユニット３１は、伝送されるデータにおいてターゲットデータを選択し、第１キャリアセットを前記ターゲットアドレスが属するサービスおよび前記最も高いデータパケット優先度に対応するキャリアセットとして初期化するように構成される。
【００７８】
ここで、伝送されるデータにおいてターゲットデータを選択することは、論理チャネル優先度（Ｌｏｇｉｃａｌ  ｃｈａｎｎｅｌ  ｐｒｉｏｒｉｔｉｚａｔｉｏｎ）基準に従って、伝送されるデータが含まれた論理チャネルに関連付けられた最も高いデータパケット優先度を有するターゲットアドレスを優先的に選択し、当該ターゲットアドレスのうち最も高いデータパケット優先度を有する伝送されるデータを優先的に選択する。
【００７９】
処理ユニット３１は、無効なリソース認可があるかどうかを判断するように構成される。例えば、現在の第１キャリアセットに既存の無効なリソース認可が存在するかどうかを判断し、存在する場合、現在既存の無効なリソース認可がキャリア再選択および／またはリソース再選択の条件を満たすかどうかを判断し、存在しない場合、各キャリアのＣＢＲ測定値に基づいてキャリア選択を実行し、そうでない場合、直接に、前記リソース認可を使用して、ＭＡＣ  ＰＤＵを生成し、認可された前記リソースをバッファから取り除く。
【００８０】
処理ユニット３１は、現在既存の無効なリソース認可がキャリア再選択および／またはリソース再選択の条件を満たすかどうかを判断し、満たす場合、各キャリアのＣＢＲ測定値に基づいてキャリア選択を実行し、そうでない場合、直接に、前記リソース認可を使用し、満たさない場合、直接に、当該リソース認可を使用して、使用するリソース認可を有効リソース認可として表記し、ＭＡＣ  ＰＤＵを生成し、関連データをキャッシュから取り除く。
【００８１】
ここで、各キャリアのＣＢＲ測定値に基づいてキャリア選択を実行し、そうでない場合、直接に、前記リソース認可を使用して、ＭＡＣ  ＰＤＵを生成し、認可された前記リソースをバッファから取り除く。即ち、ユーザが、ＣＢＲが特定の閾値より低いキャリアを選択し、当該閾値は異なるＰＰＰＰごとに異なるなど、各キャリアのＣＢＲ測定値に基づいてキャリア選択を実行し、ユーザは、ＣＢＲが最も低いキャリアを選択し、無効なリソース認可が存在する場合、前記ターゲットキャリアのＣＢＲ測定値は、現在のキャリア測定値のプリセットされたオフセットより低く、そうでない場合、現在の無効なリソース認可が配置されたキャリアを変更しないことを維持する。
【００８２】
処理ユニット３１は、第１プリセットの基準に従ってキャリア選択を実行し、および選択されたキャリア上でターゲットリソースを選択し、選択された前記ターゲットキャリア上の前記ターゲットリソースに対してリソース認可を生成し、選択されたキャリア上でリソース選択を実行して、リソース認可を生成し、当該リソース認可は、有効なリソース認可セットにおける認可と競合してはならず、リソース認可を生成しない場合、現在のデータをスキップするように構成される。
【００８３】
前記第１プリセットの基準に従ってキャリア選択を実行することは、ユーザが、ＣＢＲが特定の閾値より低いキャリアを選択し、当該閾値は、異なるＰＰＰＰごとに異なるなど、現在の第１キャリアセットにおける各キャリアのＣＢＲ測定値に基づいて、キャリア選択を実行することと、ユーザは、ＣＢＲが最も低いキャリアを選択することと、無効なリソース認可が存在する場合、前記ターゲットキャリアのＣＢＲ測定値は、現在のキャリア測定値のプリセットされたオフセットより低く、そうでない場合、現在の無効なリソース認可が配置されたキャリアを変更しないことを維持することとを含む。
【００８４】
前記第１プリセットの基準に従ってキャリア選択を実行することは、
前記ターゲットキャリアのＣＢＲ測定値が閾値より低いことと、
前記ターゲットキャリアがターゲットデータのデータパケット優先度（ＰＰＰＰ）値を搬送することができることと、
前記ターゲットキャリアがターゲットデータのサービスを搬送することができることと、
前記ターゲットキャリア上のＣＲ値が、現在のＣＲＢ測定値および現在のターゲットデータのデータパケット優先度（ＰＰＰＰ）値に対応するＣＲ閾値より低いこととをさらに含み得る。
【００８５】
前記第１プリセットの基準に従ってキャリア選択を実行することは、優先度の低いデータに対して第１キャリア上の第１リソース認可を選択し、その後、優先度の高いデータに対して第２キャリア上の第２リソース認可を選択することと、前記第１リソース認可と第２リソース認可が競合するかどうかを判断することと、第２リソース認可と第１リソース認可が競合する場合、第２リソース認可を優先的に伝送し、第１リソース認可を放棄することとをさらに含み得る。
【００８６】
または、優先度の高いデータに対して第１キャリア上の第１リソース認可を選択し、その後優先度の低いデータに対して、前記第１キャリア上の前記第１リソース認可と競合しない第２キャリア上の第２リソース認可を選択することができる。
【００８７】
具体的に、上記の２つのリソース認可が競合するかどうかを判断することは、
リソース認可１およびリソース認可２の時間周波数リソースが時間的に位置が同じであり、且つ異なるキャリア上に配置された場合、ユーザは複数のキャリア上で同時に送信する機能を備え、さらに、前記マルチキャリア送信機能は、キャリア１およびキャリア２の周波数帯域の組み合わせをサポートすることが要求されることと、
リソース認可１およびリソース認可２の時間周波数リソースが時間的に位置が異なり、且つ異なるキャリア上に配置された場合、ユーザは、シングルキャリア送信機を異なるキャリア上でスイッチングすることにより、リソース認可１およびリソース認可２の送信をサポートすることができるが、これには、異なるキャリアでのユーザのスイッチング遅延要件を満たすために、リソース認可１およびリソース認可２上で選択された時間周波数リソースの時間間隔が十分に長いことが要求されることとを含む。
【００８８】
リソース認可１およびリソース認可２の時間周波数リソースが同じキャリアに配置された場合、ユーザ機器は、リソース認可１およびリソース認可２がピーク対平均比要件を満たすと決定する必要がある。
【００８９】
前記ターゲットキャリアに対してリソース認可を生成することができる場合、前記リソース認可を使用して、ＭＡＣ  ＰＤＵを生成することを決定する；そうでない場合、前記ターゲットキャリアを第１キャリアセットから取り除く。具体的には、リソース認可を生成することができると、当該リソース認可を使用し、そうでない場合、ターゲットキャリアを第１キャリアセットから取り除く。
【００９０】
前述した現在のデータをスキップし、即ち、前記ターゲットデータをスキップすることとは、現在の時間では、ターゲットデータが属する論理チャネル、および／または、前記ターゲットデータが属するターゲットアドレスに対してリソースを選択せず、ターゲットデータが属する論理チャネル以外の他の論理チャネル、および／または、前記ターゲットデータが属するターゲットアドレス以外の他のターゲットアドレスの優先度が、ターゲットデータが属する論理チャネル、および／または、前記ターゲットデータが属するターゲットアドレスより低くても、ターゲットデータが属する論理チャネル以外の他の論理チャネル、および／または、前記ターゲットデータが属するターゲットアドレス以外の他のターゲットアドレスに対して、依然として、リソースを選択して伝送することを指す。
【００９１】
処理ユニット３１は、使用するリソース認可を有効な認可として表記し、ＭＡＣ  ＰＤＵを生成し、関連データをキャッシュから取り除く。
【００９２】
ターゲットキャリアを第１キャリアセットから取り除くかどうかを決定することは、キャリア上に利用可能なリソースが見つからない場合、当該キャリアを取り除くことができることとして理解できる。
【００９３】
さらに、例えば、現在のキャリア上の有効なリソース認可がＣＲ閾値より低くない場合、ターゲットキャリアをキャリアセットから取り除くことを決定し、現在のキャリア上の（有効な）リソース認可はＣＲ  ｌｉｍｉｔに達し、またはＣＲ  ｌｉｍｉｔを超え、
または、
現在のキャリア上の有効なリソース認可が、サポートするリソース認可の数に達する場合、前記ターゲットキャリアをキャリアセットから取り除き、当前キャリア上の（有効な）リソース認可は、ユーザがサポートできるリソース認可の数に達する。
【００９４】
本実施例で提供された技術案は、主に、図４に示されたシナリオに適用され、モード４では、車載端末は、センシング（ｓｅｎｓｉｎｇ）＋予約（ｒｅｓｅｒｖａｔｉｏｎ）の伝送方式を使用することに留意されたい。車載端末は、リソースプールにおいてセンシングの方式により利用可能な伝送リソースセットを取得し、端末は、当該セットから１つのサイドリンク（ＳＬ）リソースをランダムに選択してデータ伝送を実行する。車両インターネットワーキングシステムのサービスは周期的な特徴を有するため、端末は、通常、準静的な伝送方式を採用し、即ち、端末は、１つの伝送リソースを選択した後、複数の伝送周期の中で当該リソースを継続的に使用することにより、リソース再選択択およびリソースの競合の確率を低下させる。
【００９５】
上記の技術案を採用することにより、ターゲットデータの優先度に従って、ターゲットデータに対してリソースの選択を実行した後、選択されたキャリアのリソース上でＵＥ間のデータ伝送を実行することができることが分かる。このように、ＵＥが複数のデータ伝送を実行する時の送受信方法に関する問題を解決することができる。
【００９６】
図５に示されたように、本発明の実施例は、少なくとも１つのプロセッサ４１、メモリ４２、少なくとも１つのネットワークインターフェース４３を備える、ユーザ機器のハードウェアの構成アーキテクチャをさらに提供する。各コンポーネントは、バスシステム４４を介して結合される。バスシステム４４は、これらのコンポーネント間の接続通信を具現するために使用されることを理解されたい。データバスに加えて、バスシステム４４は、電力バス、制御バスおよび状態信号バスをさらに備える。しかしながら、説明を明確にするために、図５では様々なバスをすべてバスシステム４４として表記する。
【００９７】
本発明の実施例におけるメモリ４２は、揮発性メモリまたは不揮発性メモリであってもよく、または揮発性および不揮発性メモリの両方を含んでもよいことを理解されたい。
【００９８】
いくつかの実施方法で、メモリ４２は、操作システム４２１およびアプリケーションプログラム４２２の要素、実行可能なモジュールまたはデータ構造、またはそのサブセット、またはそれらの拡張セットを記憶する。
【００９９】
ここで、前記プロセッサ４１は、前述の実施例１の方法のステップを処理することができるように構成され、ここでは再び説明しない。
【０１００】
本発明の実施例で提供されたコンピュータ記憶媒体には、実行可能な命令が記憶され、前記コンピュータ実行可能な命令が実行されるときに、前述の実施例１の方法のステップを実施する。
【０１０１】
本発明の実施例で上記した装置がソフトウェア機能モジュールの形で実現され、スタンドアロン製品として販売または使用される場合、コンピュータ読み取り可能な記憶媒体に記憶されてもよい。このような理解に基づいて、本発明の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【０１０２】
対応的に、本発明の実施例は、コンピュータプログラムが記憶されたコンピュータ記憶媒体をさらに提供し、当該コンピュータプログラムは、本発明の実施例のデータスケジューリング方法を実行するように構成される。
【０１０３】
本発明の好ましい実施例を例示の目的で開示したが、当業者は、様々な改善、追加、および置換が可能であり、本発明の範囲は上記した実施例に限定されるべきではないことを認識するであろう。
【図１】
2021518683.tif 000003
【図２】
2021518683.tif 000004
【図３】
2021518683.tif 000005
【図４】
2021518683.tif 000006
【図５】
2021518683.tif 000007
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に適用される、リソース割り当て方法であって、
ターゲットアドレスに属するサイドリンク論理チャネルから、優先度の高いサイドリンク論理チャネルを選択することであって、論理チャネルの優先度は、高いデータパケット優先度（ＰＰＰＰ）に関連付けられ、優先度の高い論理チャネルは、高いＰＰＰＰに関連付けられることと、
前記優先度の高いサイドリンク論理チャネルのデータに対するリソースを割り当てることとを含む、前記リソース割り当て方法。
【請求項２】
前記ターゲットアドレスは、前記優先度の高いサイドリンク論理チャネルを有する宛先である、
請求項１に記載のリソース割り当て方法。
【請求項３】
割り当てられたリソースは、ターゲットキャリアに関連付けられる、
請求項１または２に記載のリソース割り当て方法。
【請求項４】
前記ターゲットキャリアのチャネルビジー率（ＣＢＲ）測定値は閾値より低い、
請求項３に記載のリソース選択方法。
【請求項５】
前記ターゲットキャリアは、前記データのサービスを搬送することができる、
請求項３に記載のリソース割り当て方法。
【請求項６】
前記ターゲットキャリアは、第１キャリアおよび第２キャリアを含み、前記リソース割り当て方法は、
優先度の高いサイドリンク論理チャネル内のデータに対して、前記第１キャリア上の第１リソースを割り当て、その後、
優先度の低いサイドリンク論理チャネル内のデータに対して、前記第１キャリア上の第１リソースと競合しない前記第２キャリア上の第２リソースを割り当てることをさらに含む、
請求項３に記載のリソース割り当て方法。
【請求項７】
前記リソース割り当て方法は、
前記第１リソースと第２リソースが競合するかどうかを判断することをさらに含み、
前記第１リソースと第２リソースが競合するかどうかを判断することは、
第１キャリア上の第１リソースと第２キャリアの第２リソースが時間的に同じ位置にあり、且つ第１キャリアと第２キャリアが異なる場合、前記ＵＥがマルチキャリア送信機能を備え、且つ前記マルチキャリア送信機能は、前記第１キャリアおよび第２キャリアの周波数帯域の組み合わせをサポートすることができると、第１リソースと第２リソースが競合しないと決定し、前記ＵＥがマルチキャリア送信機能を備えず、または前記マルチキャリア送信機能が、前記第１キャリアと第２キャリアの周波数帯域の組み合わせをサポートすることができないと、第１リソースと第２リソースが競合すると決定すること、
第１キャリア上の第１リソースと第２キャリアの第２リソースが時間的に異なる位置にあり、且つ第１キャリアと第２キャリアが異なる場合、第１キャリア上の第１リソースと第２キャリアの第２リソースの時間間隔がプリセットの時間閾値より大きいと、第１リソースと第２リソースが競合しないと決定し、第１キャリア上の第１リソースと第２キャリアの第２リソースの時間間隔がプリセットの時間閾値より大きくない場合、第１リソースと第２リソースが競合すると決定すること、
第１キャリア上の第１リソースと第２キャリアの第２リソースが同じキャリア上に配置された場合、前記第１キャリア上の第１リソースと第２キャリアの第２リソースの時間周波数リソースがプリセットのピーク対平均比要件を満たすと、第１リソースと第２リソースが競合しないと決定し、前記第１キャリア上の第１リソースと第２キャリアの第２リソースの時間周波数リソースがプリセットのピーク対平均比要件を満たさない場合、第１リソースと第２リソースが競合すると決定することのうちの少なくとも１つを含む、
請求項６に記載のリソース割り当て方法。
【請求項８】
前記リソース割り当て方法は、
リソース認可があるかどうかを判断することと、
リソース認可が存在する場合、前記リソース認可がキャリア再選択および／またはリソース再選択の条件を満たすかどうかを判断することと、
リソース認可が存在しない場合、各キャリアのＣＢＲ測定値に基づいてキャリア選択を実行することとをさらに含む、
請求項１ないし７のいずれか一項に記載のリソース割り当て方法。
【請求項９】
前記リソース認可がキャリア再選択および／またはリソース再選択の条件を満たすかどうかを判断することは、
満たす場合、各キャリアのＣＢＲ測定値に基づいてキャリア選択を実行し、そうでない場合、前記リソース認可を使用して、ＭＡＣ  ＰＤＵを生成することをさらに含む、
請求項８に記載のリソース割り当て方法。
【請求項１０】
前記各キャリアのＣＢＲ測定値に基づいてキャリア選択を実行することは、
ＣＢＲがプリセットのＣＢＲ閾値より低いキャリアを選択することであって、ＣＢＲ閾値はＰＰＰＰに関連付けられること、
ＣＢＲが最も低いキャリアを選択することのうちの少なくとも１つを含む、
請求項９に記載のリソース割り当て方法。
【請求項１１】
前記リソース割り当て方法は、
選択されたターゲットキャリアに対するリソース認可を生成することをさらに含む、
請求項１０に記載のリソース割り当て方法。
【請求項１２】
ユーザ機器（ＵＥ）であって、
ターゲットアドレスに属するサイドリンク論理チャネルから、優先度の高いサイドリンク論理チャネルを選択し、論理チャネルの優先度は、高いデータパケット優先度（ＰＰＰＰ）に関連付けられ、優先度の高い論理チャネルは高いＰＰＰＰに関連付けられ、
前記優先度の高いサイドリンク論理チャネルのデータに対するリソースを割り当てるように構成される処理ユニットを備える、前記ＵＥ。
【請求項１３】
前記ターゲットアドレスは、前記優先度の高いサイドリンク論理チャネルを有する宛先である、
請求項１２に記載のＵＥ。
【請求項１４】
ユーザ機器（ＵＥ）であって、
プロセッサおよびプロセッサで実行可能なコンピュータプログラムを記憶するように構成されるメモリを備え、
前記プロセッサは、前記コンピュータプログラムを実行するときに、請求項１ないし１１のいずれか一項に記載のリソース割り当て方法のステップを実行するように構成される、前記ＵＥ。
【請求項１５】
コンピュータ記憶媒体であって、
コンピュータ実行可能な命令が記憶され、前記コンピュータ実行可能な命令が実行されると、請求項１ないし１１のいずれか一項に記載のリソース割り当て方法を実現する、前記コンピュータ記憶媒体。
【国際調査報告】
2021518683.tif 000008
2021518683.tif 000009
2021518683.tif 000010
2021518683.tif 000011